(57)【要約】【課題】  集合住宅のインターホンシステムにおいて、防犯効果の高いシステムを得ることを目的とする。【解決手段】  宅配ロッカー１２からの着荷信号を住宅情報盤７へ送信する制御装置５を備えたインターホンシステムにおいて、住宅情報盤７に泥棒の侵入を防止する防犯手段８〜１０を設け、住宅情報盤が着荷信号を受信する時に、その防犯手段を動作させる。  また、集合玄関機１５のカメラで撮像した映像を記録する録画装置２０を設け、集合玄関機で入力される住戸番号の住戸に、配達物がある時、録画装置を起動させ、映像を記録して、泥棒の確認行為を防止する。【選択図】図１
2006287610.tif 000002
【特許請求の範囲】
【請求項１】
配達物が収納される使用時に、着荷信号を送信する宅配ロッカーと、該着荷信号を住宅情報盤へ送信する制御装置とを備えたインターホンシステムにおいて、
前記住宅情報盤に泥棒の侵入を防止する防犯手段を設け、
前記住宅情報盤が前記着荷信号を受信する時、該防犯手段を動作させることを特徴とするインターホンシステム。
【請求項２】
配達物が収納される使用時に、着荷信号を送信する宅配ロッカーと、該着荷信号に基づいて集合玄関機の着荷表示を行う制御装置とを備えたインターホンシステムにおいて、
前記集合玄関機に、集合玄関機のカメラで撮像した映像を記録する録画装置を設け、
前記集合玄関機で入力される住戸番号の住戸に前記配達物がある時、前記録画装置を起動させ、映像を記録することを特徴とするインターホンシステム。
【発明の詳細な説明】
【技術分野】
【０００１】
本発明は、インターホンシステムに関するものである。
【背景技術】
【０００２】
集合住宅であるマンションの集合玄関には集合玄関機が設けられる。この集合玄関機は、制御装置を介して各住戸に設置された住宅情報盤と接続されており、住戸番号を入力して呼出釦を押すことで、所望の住宅情報盤を呼び出すことが可能である。
【０００３】
図２は、集合玄関機を備えたインターホンのシステム図であり、この図面を使用して従来のインターホンシステムについて説明する。この集合住宅用インターホンシステムは、集合玄関機７１と、集合住宅の複数の住戸内にそれぞれ設置された住宅情報盤としての居室機８１、８２、・・・と、集合住宅の居住者が不在時に配達物を受け取るためにエントランスの近傍に設置された宅配ロッカー９１、９２と、集合玄関機７１、居室機８１、８２、・・・および宅配ロッカー９１、９２を接続する幹線上に設置された制御装置としての制御機１０００とで構成されている。
【０００４】
集合玄関機７１は、集合玄関機マイク７１１、集合玄関機スピーカ７１２と共に、宅配ロッカー９１、９２に荷物が着荷されていることを知らせる宅配ロッカー着荷表示灯７１４と、非接触キーまたは磁気カード等で構成されるＩＤユニット１００１から送信されるＩＤデータｄ１００を読取可能のＩＤ読取器１００２とを備えている。このＩＤユニット１００１から送信されるＩＤデータｄ１００には、電気錠（図示せず）を解錠するためのＩＤ番号と共に部屋番号も含まれている。
【０００５】
居室機８１、８２、・・・は、何れも居室機マイクおよび居室機レシーバから成るハンドセット８１１、呼出用の居室機スピーカ８１２、情報表示モニタ８１３と共に、宅配ロッカー９１、９２に荷物が着荷されていることを知らせる宅配ロッカー着荷表示灯８１４を備えている。宅配ロッカー９１、９２は、何れも運送会社等の宅配担当者が配達物をロッカーに入れた後、その配達物の届け先である部屋番号を入力するためのキーボード９１１を備えている。
【０００６】
また、集合玄関機７１は幹線Ｌ７１、２台の宅配ロッカー９１、９２は幹線Ｌ９１、Ｌ９２を介してそれぞれ制御機１０００に接続され、複数の居室機８１、８２、・・・は幹線Ｌ８１にバス接続されて制御機１０００に接続されている。さらに、集合玄関機７１が備えたＩＤ読取器１００２は幹線Ｌ７１１を介して受信器１００３に接続され、この受信器１００３は幹線Ｌ７１２を介して制御機１０００に接続されている。
【０００７】
このような集合住宅用インターホンシステムにおいて、宅配担当者が配達すべき居住者が不在の場合、この宅配担当者はその配達物を例えば宅配ロッカー９１に入れ、キーボード９１１を用いて届け先の部屋番号を入力し、当該宅配ロッカー９１を閉じる。宅配ロッカー９１は自動的に施錠されると共に、届け先の部屋番号・宅配着荷信号Ｓ９１を制御機１０００に送信する。
【０００８】
この制御機１０００に部屋番号・宅配着荷信号Ｓ９１が入力されている状態において、居住者が帰宅し、集合玄関機７１の電気錠（図示せず）を解錠するために、当該集合玄関機７１のＩＤ読取器１００２に向かってＩＤユニット１００１でＩＤデータｄ１００を送信すると、ＩＤ読取器１００２はＩＤデータｄ１００を読取り受信器１００３を介して制御機１０００に送出する。この際、宅配ロッカー９１に配達物が着荷しているので、制御機１０００はＩＤユニット１００１から送信されたＩＤデータｄ１００の部屋番号情報と、宅配ロッカー９１から送信された部屋番号・宅配着荷信号Ｓ９１の部屋番号情報とを照合し、一致していたら、集合玄関機７１の宅配ロッカー着荷表示灯７１４を点灯させ、帰宅した居住者に対し、集合玄関において受け取るべき配達物があることを知らせる。また、制御機１０００は、集合住宅内のすべての居室機８１、８２、・・・に対しても部屋番号・宅配着荷信号Ｓ９１を送出する。これら居室機８１、８２、・・・のうち、例えば居室機８１の設定されている部屋番号が部屋番号・宅配着荷信号Ｓ９１と一致している場合は、当該居室機８１の宅配ロッカー着荷表示灯８１４を点灯させ、居室内においても居住者に対し受け取るべき配達物があることを知らせることができる。
【特許文献１】特開２００２−５１１５６号公報
【発明の開示】
【発明が解決しようとする課題】
【０００９】
運送会社の宅配担当者は、配達物を届ける時、まず集合玄関機で住戸の居室機を呼出し、その住戸が不在であれば宅配ロッカーに配達物を入れる。この宅配ロッカーには表示部があり、現在、ロッカー内に配達物のある住戸の住戸番号が表示されるようになっている。
【００１０】
即ち、この宅配ロッカーに表示されている住戸番号を見ることで、どの住戸が現在、不在中であるかを知ることが可能であり、防犯対策が十分でなかった。そこで、本発明は、集合住宅のインターホンシステムにおいて、防犯効果の高いシステムを得ることを目的とする。
【課題を解決するための手段】
【００１１】
本発明は以上の課題を解決するためになされたもので、配達物が収納される使用時に、着荷信号を送信する宅配ロッカーと、該着荷信号を住宅情報盤へ送信する制御装置とを備えたインターホンシステムにおいて、住宅情報盤に泥棒の侵入を防止する防犯手段を設け、住宅情報盤が前記着荷信号を受信する時、該防犯手段を動作させることを特徴とするものである。
【００１２】
また、配達物が収納される使用時に、着荷信号を送信する宅配ロッカーと、該着荷信号に基づいて集合玄関機の着荷表示を行う制御装置とを備えたインターホンシステムにおいて、集合玄関機に、集合玄関機のカメラで撮像した映像を記録する録画装置を設け、集合玄関機で入力される住戸番号の住戸に前記配達物がある時、前記録画装置を起動させ、映像を記録することを特徴とするものである。
【発明の効果】
【００１３】
本発明では、インターホンシステムにおいて、住宅情報盤に泥棒の侵入を防止する防犯手段を設け、宅配ロッカーからの着荷信号を受信する際に、その防犯手段を動作させるようにした。このため、外出時に、宅配ロッカーに自分宛の配達物が入れられ、宅配ロッカーの表示部に住戸番号が表示され、他人に留守であることを知られたとしても、防犯手段が動作して、泥棒などの侵入者が住戸に侵入するのを防止するので、防犯効果が高められる。
【００１４】
また、外出時に、宅配ロッカーに自分宛の配達物が入れられ、宅配ロッカーの表示部に住戸番号が表示され、他人に留守であることを知られた場合に、泥棒が確認行為として集合玄関機を操作して本当に不在であるかを確認する場合がある。このような確認行為に対して、集合玄関機で入力される住戸番号と、宅配ロッカーの着荷信号とが対応している場合には、泥棒などの侵入者による確認行為の可能性が高いものとして、録画装置を起動する。そして、集合玄関機のカメラの映像を記録するようにしたので、万が一、住戸に泥棒が入ったとしても、その後、泥棒を捕まえやすくなる。
【発明を実施するための最良の形態】
【００１５】
図１は本発明のインターホンシステムのシステム図である。集合玄関機１は、制御装置５を介して住宅情報盤７や宅配ロッカー１２と接続されている。これらシステムを構成する機器は、従来例の図２で示したものと同じ機能を有し、信号の出力や受信も同様に行われるので、以下の説明では、本実施形態の特徴部分について詳しく説明する。
【００１６】
１２は宅配ロッカーで、居住者が不在の際、運送会社の宅配担当者が配達物を収納する。この配達物が収納されるロッカーの使用時には、制御装置５に着荷信号が送信される。着荷信号には住戸番号の情報が含まれており、信号を受信した制御装置５は、その着荷信号を住宅情報盤７へ送信する。
【００１７】
住宅情報盤７には、泥棒の侵入を防止する防犯手段が設けられる。ここで、防犯手段とは、例えば住戸の玄関ドアに設置された施錠装置８である。また住戸内に設置した防犯センサ９を監視モードに設定する防犯スイッチ１０も防犯手段の一例である。住宅情報盤７は、制御装置５から着荷信号を受信する時に、防犯手段８，１０を動作させるように制御する。
【００１８】
１５は集合玄関機で、住戸番号を入力するためのテンキー１６と、訪問者等を撮像するカメラ１７と、着荷表示灯１８とを備えている。着荷表示灯１８は、宅配ロッカー１０からの着荷信号に基づいて、制御装置５又は集合玄関機１５により着荷表示が行われる。集合玄関機１５には、カメラ１７で撮像した映像を記録する録画装置が接続され、また録画装置２０は制御装置５にも接続されている。この録画装置２０は、集合玄関機１５でテンキー１６で住戸番号が入力される際、その住戸番号の住戸に宅配ロッカー１０に配達物が収納されている時に、制御装置５によって起動され、カメラの映像を記録するようになっている。
【００１９】
続いて、このインターホンシステムの動作について説明する。まず、運送会社の宅配担当者が集合玄関機１５を操作して荷物の配達先の住戸が不在である場合には、宅配ロッカー１２を使用して、ロッカー内に配達物を収納する。この時、宅配ロッカー１２から制御装置５に着荷信号が送信され、更に、対応する住戸の住宅情報盤７にも着荷信号が送信される。着荷信号には、住戸番号の情報が含まれているので、制御装置５では、どの住戸宛の配達物が宅配ロッカー１２に収納されているかを判別できる。
【００２０】
住宅情報盤７では、着荷信号を受信すると、防犯手段を動作させる。これは着荷信号があるということは、住戸内に人がいないから、システムとして防犯効果を高めた方が良いという考えに基づく。まず施錠装置８を動作させ、玄関ドアの鍵がかかっていないのであれば、施錠する。これにより玄関からの泥棒の侵入を防止できる。また、防犯スイッチ１０を監視モードに設定して、防犯センサ９を監視状態にする。これにより窓などから泥棒が入っても、直ちに侵入を感知して、図示しない警報監視盤に信号を送って、泥棒が入ったことを警報する。
【００２１】
以上のように、防犯手段を動作させて、泥棒などの侵入者が住戸に侵入するのを防止するので、防犯効果が高められる。このため外出時に、宅配ロッカーに自分宛の配達物が入れられ、宅配ロッカーの表示部に住戸番号が表示され、他人に留守であることを知られたとしても、住戸の安全を確保できる。
【００２２】
ところで、宅配ロッカーの表示部に住戸番号が表示され、他人に留守であることを知られた場合に、泥棒は、集合玄関機を操作して本当に不在であるかを確認する場合がある。この行為を「確認行為」という。このような確認行為がある場合には、泥棒の可能性が高いとして、何らかの対策をとることが好ましい。
【００２３】
そこで、宅配ロッカー１２に配達物が収納されている場合において、集合玄関機１５で入力される住戸番号と、宅配ロッカー１２の着荷信号の住戸番号情報とが対応している場合には、泥棒などの侵入者による確認行為の可能性が高いものとして、録画装置２０を起動する。集合玄関機１５でテンキー１６を操作して住戸番号を入力して、住戸を呼び出す際には、カメラ１７が起動して、その操作者を撮像する。そこで録画装置２０を起動させることで、この泥棒の可能性のある操作者を撮像したカメラ１７の映像を記録することができる。このため、万が一、住戸に泥棒が入ったとしても、その映像情報をもとに、その後、泥棒を捕まえやすくなる。
【図面の簡単な説明】
【００２４】
【図１】本発明のインターホンのシステム図である。
【図２】従来のインターホンシステムのシステム図である。
【符号の説明】
【００２５】
５  制御装置、  ７  住宅情報盤、  ８  施錠装置、  ９  防犯センサ、
１０  防犯スイッチ、  １２  宅配ロッカー、  １５  集合玄関機、
１６  テンキー、  １７  カメラ、  １８  着荷表示灯、  ２０  録画装置、
【図１】
2006287610.tif 000003
【図２】
2006287610.tif 000004